(57)【要約】      （修正有）【課題】表示用パネルと植物とをともにデザイン性よくディスプレイ可能なパネルスタンドを提供する。【解決手段】植物体装飾部付きパネルスタンド１は、ベース部１０と、このベース部１０から立設されるフレーム部とを備え、該フレーム部には、表示したい内容を表示した表示用パネル５１を保持するパネル保持部５０と、植物体４３が植え付けられたポット４４を保持する植物体装飾部３０とを設ける。この植物体装飾部３０には後下がりの棚板が設けられ、この棚板上にポット４４が斜め上向きに保持されている。このような構成によれば、表示用パネル５１と植物体４３の双方を簡易かつデザイン性よくディスプレイすることができる。【選択図】図２
0003155352.tif 000002
【実用新案登録請求の範囲】
【請求項１】
ベース部と、
ベース部から立設されるフレーム部とを備え、
前記フレーム部には、表示したい内容が表示された表示用パネルを保持するパネル保持部と、植物体が植え付けられた鉢体を保持する植物体装飾部とが設けられ、
前記植物体装飾部には後下がりに傾斜する棚板が設けられ、この棚板上に前記鉢体が斜め上向きに保持されている、
植物体装飾部付きパネルスタンド。
【請求項２】
前記植物体装飾部には複数の前記棚板が着脱可能に設けられている、請求項１に記載の植物体装飾部付きパネルスタンド。
【考案の詳細な説明】
【技術分野】
【０００１】
本考案は、植物体装飾部付きパネルスタンドに関する。
【背景技術】
【０００２】
一般に、店舗の店頭などでは案内用・広告宣伝用としてポスターやパネルを掲示することが多い。一方、店舗を訪れる顧客に癒しや和みなどを感じさせることを期待して、店頭や店内に観葉植物や花等の植物を飾ることもよく行われる。
ここで、観葉植物等の植物と掲示用スタンドとを組み合わせたものとしては、例えば特許文献１に記載のものが提案されている。このものは、植木鉢の中央に立看板の支柱を差し込み固定したものである。
【先行技術文献】
【特許文献】
【０００３】
【特許文献１】実開平２−１４８２５７号公報
【考案の概要】
【考案が解決しようとする課題】
【０００４】
しかし、上記特許文献のものは、単に植木鉢とパネルを通常の鑑賞・掲示形態で組み合わせたのみであって、デザイン性・表現の幅に限界があった。
本考案は上記のような事情に基づいて完成されたものであって、その目的は、表示用パネルと植物とを共に、簡易かつデザイン性よくディスプレイ可能なパネルスタンドを提供することにある。
【課題を解決するための手段】
【０００５】
上記の課題を解決するための手段として、本考案の植物体装飾部付きパネルスタンドは、ベース部と、ベース部から立設されるフレーム部とを備え、前記フレーム部には、表示したい内容が表示された表示用パネルを保持するパネル保持部と、植物体が植え付けられた鉢体を保持する植物体装飾部とが設けられ、前記植物体装飾部には後下がりの棚板が設けられ、この棚板上に前記鉢体が斜め上向きに保持されているものである。
【考案の効果】
【０００６】
本考案によれば、植物体と表示用パネルとを、一のフレーム部内で並べて表示することができる。
加えて、本考案のパネルスタンドにおいては、棚板が後下がりに設置されており、この棚板上に鉢体を前方から差し入れ、斜め上向きに保持させることとなる。すなわち、鉢体に植え付けられた植物体を、前方（表示用パネルを視認するのと同一方向）から美しく見せることができる。
さらに、鉢体を棚板の傾斜方向に沿って出し入れするのみで、鉢体の植物体装飾部への着脱が簡単に行える。このため、水遣り等のメンテナンスが容易であり、また、季節や店舗の雰囲気、表示用パネルの表示内容等に応じて植物体のディスプレイに変化をつけることが容易である。
【図面の簡単な説明】
【０００７】
【図１】本実施形態の植物体装飾部付きパネルスタンドの正面図
【図２】本実施形態の植物体装飾部付きパネルスタンドの斜視図
【図３】図１のＡ−Ａ断面図
【図４】図１のＡ−Ａ断面の部分拡大図
【図５】図１のＢ−Ｂ断面図
【考案を実施するための形態】
【０００８】
本考案の実施形態を図１〜図５を参照しつつ説明する。植物体装飾部付きパネルスタンド１（以下、「パネルスタンド１」と略記する）の正面図を図１に、斜視図を図２に示した。
【０００９】
このパネルスタンド１には、表示物を固定するためのフレーム部１２と、このフレーム部１２を支持するベース部１０とが備えられている。ベース部１０は、水平で方形の板状をなし、その下面には、四隅にキャスター１１が取り付けられている。
【００１０】
フレーム部１２は、縦長の矩形枠状に形成され、上端側を後方に僅かに傾けた姿勢で、ベース部１０の上面前端に固定されている。
【００１１】
このフレーム部１２には、ベース部１０の前縁の左右両端部から上方に延びる一対の縦枠部１３と、両縦枠部１３間に橋渡される上枠部１５、中枠部１４とを備えている。上枠部１５は、縦枠部１３の上端位置で両縦枠部１３間に橋渡され、その両端部がコーナ部材１５Ａを介して縦枠部１３に連結されている。中枠部１４は、縦枠部１３の高さ方向中央よりもやや下側位置で両縦枠部１３間に渡され、その両端部が例えばねじ、ボルト等の接続部材によって縦枠部１３に固定されている。
【００１２】
縦枠部１３は、断面略半円形の中空の筒状をなし、その半円の直径部分に相当する平面部１６を内側に、半円の円弧部分に相当する弧面部１７を外側にした姿勢で互いに向かい合っている。各縦枠部１３の平面部１６において、前後方向（半円の直径方向）のほぼ中央の領域は、上下方向の全域にわたって、筒の内側方向に向かって方形に凹まされている。この凹み部分は、第１保持凹部１８とされている。この第１保持凹部１８の前後の開口縁には、細板状に形成された一対の第１抜止め板１９、１９が、それぞれ前側の開口縁からは後方へ、後ろ側の開口縁からは前方へ向かって延設されている。
【００１３】
また、平面部１６において第１保持凹部１８から前方および後方に少し離れた位置には、それぞれ、上下方向の全域にわたって、筒の内側方向に向かって方形に凹まされることで凹み部分が形成されている。この２つの凹み部分のうち前方の凹部は第２保持凹部２０、後方の凹部が第３保持凹部２１とされている。第２保持凹部２０および第３保持凹部２１の前後の開口縁には、細板状に形成された一対の第２抜止め板２２、２２および第３抜止め板２３、２３が、それぞれ前側の開口縁からは後方へ、後ろ側の開口縁からは前方へ向かって延設されている。
【００１４】
第２保持凹部２０および第３保持凹部２１の内部には、それぞれ、上下方向に細長い角筒状をなす第１パネル保持部材２４Ａおよび第２パネル保持部材２４Ｂが収容されている。このパネル保持部材２４Ａ、２４Ｂにおいて、一対の抜止め板２２、２２および抜止め板２３、２３の隙間から外方へ臨む部分には、それぞれ上下方向に細長い切り込みが入れられ、スリット部２５Ａ、２５Ｂが形成されている。
【００１５】
また、詳細には図示しないが、ベース部１０の前端上面、中枠部１４の上下面、および上枠部１５の下面において、パネル保持部材２４のスリット部２５に整合する位置にも、それぞれ幅方向のほぼ全域にわたって保持溝が設けられている。
【００１６】
さて、このフレーム部１２において、中枠部１４より下側の領域は、植物体４３を植え付けたポット４４を保持する植物体装飾部３０とされている。この植物体装飾部３０の前面側には額部３１が、後面側には裏パネル３３がそれぞれ嵌め込まれている。
【００１７】
額部３１は、樹脂等により矩形枠状に形成されており、その外形が一対の縦枠部１３、ベース部１０および中枠部１４で囲まれる開口領域よりもやや大きく、中央に開口する窓部３２の大きさが一対の縦枠部１３、ベース部１０および中枠部１４で囲まれる開口領域よりもやや小さくされている。なお、窓部３２の開口領域の大きさは、植物体装飾部３０に保持したいポット４４の大きさ等を考慮して自由に設計できる。この額部３１は、その左右両縁部を第１パネル保持部材２４Ａのスリット部２５Ａ内に差し込むようにして、左右の縦枠部１３の間に上方から差し入れられる。そして、下側の縁部がベース部１０上面の保持溝に、上側の縁部が中枠部１４下面の保持溝に差し入れられた形で固定される。
【００１８】
また、裏パネル３３は、樹脂等により半透明又は不透明の板状に形成されており、その外形が一対の縦枠部１３、ベース部１０および中枠部１４で囲まれる開口領域よりもやや大きくされている。この裏パネル３３は、その左右両縁部を第２パネル保持部材２４Ｂのスリット部２５Ｂ内に差し込むようにして左右の縦枠部１３の間に上方から差し入れられる。そして、下側の縁部がベース部１０上面の保持溝に、上側の縁部が中枠部１４下面の保持溝に差し入れられた形で固定されている。
【００１９】
さらに、植物体装飾部３０の内部には、植物体４３を植え付けたポット４４を置くための棚板３４、およびこの棚板３４を支持するための棚板支持部が設けられている。棚板支持部は、棚板３４を支持する支持棒３６、この支持棒３６を固定する支持板３７および支持フレーム３８からなる。
【００２０】
支持板３７は、細長の薄板状に形成され、第１保持凹部１８の内部に収容されている。この支持板３７の幅は、第１保持凹部１８の幅とほぼ等しくされ、その高さは、ベース部１０の上面から中枠部１４の下面までの高さにほぼ等しくされている。
【００２１】
支持フレーム３８は、細長板状に形成された支持壁部３９を備えている。支持壁部３９は、第１保持凹部１８の左右方向の開口幅よりもやや幅広に形成され、その長さはベース部１０の上面から中枠部１４の下面までの高さとほぼ等しくされている。この支持壁部３９において幅方向の両端縁からは、高さ方向の全域にわたって、第１保持凹部１８との対向面側に立設される脚部４０が設けられている。この支持フレーム３８は、脚部４０の先端部を縦枠部１３における平面部１６の外側面に当接させ、第１保持凹部１８の開口部を塞ぐようにして取り付けられ、支持板３７に対してネジ４２により固定されている。
【００２２】
支持フレーム３８の支持壁部３９には、板厚方向に貫通する複数の挿通孔４１が形成されている。複数の挿通孔４１は、前後２列に並列され、各列に属する挿通孔４１の個数は同数とされている。前列に配された挿通孔４１Ａは、後列においてこれと対となる挿通孔４１Ｂよりもやや高い位置に配されている。
【００２３】
支持棒３６は、左右の支持フレーム３８間の距離よりもやや長い棒状に形成され、その両端部を左右の支持フレーム３８において互いに対応する位置にある挿通孔４１に通すことで、水平に支持されている。前列の挿通孔４１Ａによって支持された支持棒３６Ａは、後列においてその挿通孔４１Ａと対となる挿通孔４１Ｂによって支持された支持棒３６Ｂよりもやや高い位置に配されることとなる。
【００２４】
棚板３４は、横長の長方形状に形成された樹脂板をその短辺方向中心位置で折り曲げて、断面ヘアピン状の二重板とした形状をなしている。この棚板３４は、上下の板の間に前後一対の支持棒３６を通すようにして前面側から植物体装飾部３０に差し入れることで、後下がりの姿勢で植物体装飾部３０内に保持される。
【００２５】
各棚板３４上には、植物体４３を植え付けた複数のポット４４が保持される。ポット４４は、上側に開口した樹脂製の角型容器であり、高さが棚板３４の奥行きとほぼ等しい長さに、また開口部の幅が上下に隣り合う棚板３４の距離とほぼ等しくされている。ポット４４の内部には、詳細には図示しないが、顆粒状粘土等の水保持材が充填され、ここに観葉植物等の植物体４３が植え付けられている。水保持材の表面は、舗装加工により固められ、ポット４４を斜めに保持しても水が零れ出ないようになっている。このポット４４は、各棚板３４上に前面側から差し入れられ、その開口部側（植物体４３が植え付けられている側）が斜め前方を向く姿勢で保持されている。１列の棚板３４には複数のポット４４を並べることができる。
【００２６】
なお、支持棒３６および棚板３４は着脱可能であるので、取り付け段数は、保持させたいポット４４の大きさ等により変更することが可能である。
【００２７】
一方、フレーム部１２において、中枠部１４より上側の領域は、表示用パネル５１を保持するパネル保持部５０とされている。このパネル保持部５０の前面側には表示用パネル５１が、後面側には裏パネル３３がそれぞれ嵌め込まれている。
【００２８】
表示用パネル５１としては、例えば、表面側に表示したい内容が表示されたシート状表示物を、透明な樹脂板により構成された一対の保持プレートの間に挟み込んだものを使用できる。この表示用パネル５１は、その左右両縁部を前側のパネル保持部材２４Ａのスリット部２５Ａ内に差し込むようにして左右の縦枠部１３の上方から差し入れられる。そして、下側の縁部が中枠部１４上面の保持溝に、上側の縁部が上枠部１５下面の保持溝に差し入れられた形で固定される。
【００２９】
裏パネル３３は、植物体装飾部３０の後面側に嵌め込まれているものと同様の構成のものであって、その左右両縁部を後側のパネル保持部材２４Ｂのスリット部２５Ｂ内に差し込むようにして左右の縦枠部１３の間に上方から差し入れられる。そして、下側の縁部が中枠部１４上面の保持溝に、上側の縁部が上枠部１５下面の保持溝に差し入れられた形で固定されている。
【００３０】
以上のように本実施形態によれば、植物体装飾部付きパネルスタンド１は、ベース部１０と、このベース部１０から立設されるフレーム部１２とを備え、フレーム部１２には、表示したい内容を表示した表示用パネル５１を保持するパネル保持部５０と、植物体４３が植え付けられたポット４４を保持する植物体装飾部３０とが設けられ、この植物体装飾部３０には後下がりの棚板３４が設けられ、この棚板３４上にポット４４が斜め上向きに保持されている。
【００３１】
このような構成によれば、植物体４３と、表示用パネル５１とを、一のフレーム部１２内で並べて表示することができる。例えば店頭で広告や商品内容の説明等を展示し、かつ、植物も飾りたいが、充分なスペースが確保できない、といった場合であっても、本実施形態のパネルスタンド１を利用すれば、狭いスペースで展示と植物の飾り付けの双方を行うことができ、便利である。
【００３２】
加えて、本実施形態のパネルスタンド１においては、棚板３４が後下がりに設置されており、この棚板３４上にポット４４を前方から差し入れ、斜め上向きに保持させることとなる。すなわち、ポット４４に植え付けられた植物体４３を、前方（表示用パネル５１を視認するのと同一方向）から美しく見せることができる。さらに、ポット４４を棚板３４の傾斜方向に沿って出し入れするのみで、植物体装飾部３０への着脱が簡単に行える。このため、水遣り等のメンテナンスが容易であり、また、季節や店舗の雰囲気、表示用パネル５１の表示内容等に応じて植物体４３のディスプレイに変化をつけることが容易である。
【００３３】
また、植物体装飾部３０には複数の棚板３４が着脱可能に設けられているから、飾りたい植物体４３等の大きさに応じて棚板３４の段数の調整をフレキシブルに行うことが出来る。このため、植物体４３のディスプレイの自由度が大きく、表示用パネル５１の表示内容等に合わせたデザイン性の高い装飾を行うことができる。
【００３４】
このように、本実施形態のパネルスタンド１によれば、表示用パネル５１と植物体４３とを共に、簡易かつデザイン性よくディスプレイ可能である。
【００３５】
＜他の実施形態＞
本考案は上記記述及び図面によって説明した実施形態に限定されるものではなく、例えば次のような実施形態も本考案の技術的範囲に含まれる。
（１）上記実施形態では、フレーム部１２が中枠部１４によって上下に仕切られ、上側がパネル保持部５０、下側が植物体装飾部３０とされていたが、上側が植物体装飾部、下側がパネル保持部とされていても構わない。また、フレーム部が左右に仕切られ、一方がパネル保持部、他方が植物体装飾部とされていてもよく、フレーム部内が３つ以上に仕切られ、その一部がパネル保持部、他の部分が植物体装飾部とされていても構わない。
（２）上記実施形態では、植物体装飾部には複数の棚板が設けられ、ポット４４が複数段にわたって保持されていたが、例えば植物体装飾部の内部に棚板が１枚のみ設けられ、この植物体装飾部の内部にちょうど納まる大きさの鉢体が１個のみ保持されていても構わない。
（３）上記実施形態では、パネル保持部５０には、表面側に表示したい内容が表示されたシート状表示物を、透明な樹脂板により構成された一対の保持プレートの間に挟み込んだ構成の表示用パネル５１が嵌め込まれていたが、パネル保持部の構成は上記実施形態の限りではなく、例えば表示用パネルとして液晶パネルが用いられ、この液晶パネルと基板・バックライト等の必要部品がパネル保持部５０内に嵌め込まれる構成であってもよい。
【符号の説明】
【００３６】
１...植物体装飾部付きパネルスタンド
１０...ベース部
１２...フレーム部
３０...植物体装飾部
３４...棚板
４３...植物体
４４...ポット（鉢体）
５０...パネル保持部
５１...表示用パネル
【図１】
0003155352.tif 000003
【図２】
0003155352.tif 000004
【図３】
0003155352.tif 000005
【図４】
0003155352.tif 000006
【図５】
0003155352.tif 000007